【手続補正書】
【提出日】平成28年3月14日(2016.3.14)
【手続補正１】
【補正対象書類名】特許請求の範囲
【補正対象項目名】全文
【補正方法】変更
【補正の内容】
【特許請求の範囲】
【請求項１】
編集画面に、イメージと前記イメージの１又は複数の特徴部位に対応する１又は複数の操作点とを表示させる制御手段と、
前記イメージに編集を加える操作を受け付ける受付手段と、
前記受け付けられた編集が、編集後の前記イメージの特徴部位と該特徴部位に対応する操作点との、１又は複数の組のうち少なくとも１つに対し、前記編集画面における両者の表示位置の間に所定値を越える距離を生じさせる場合に、前記編集後の前記編集画面において、前記表示位置の間に所定値を越える距離が生じた前記イメージの特徴部位と、該特徴部位に対応する操作点とに、互いに対応関係にあることを表す指標を付与する付与手段と、を備えることを特徴とする、
情報処理装置。
【請求項２】
編集画面に、イメージと前記イメージの１又は複数の特徴部位に対応する１又は複数の操作点とを表示させる制御手段と、
前記イメージに編集を加える操作を受け付ける受付手段と、
前記受け付けられた編集が、ｎ（ｎは１以上の自然数）次元で表現された前記イメージをｍ（＞ｎ）次元表現に変更するための表現次元の変更を含む場合に、前記編集画面において、前記編集が加えられたイメージの特徴部位と、該特徴部位に対応する操作点との１又は複数の組のうち少なくとも１つに、互いに対応関係にあることを表す指標を付与する付与手段と、を備えることを特徴とする、
情報処理装置。
【請求項３】
前記互いに対応関係にあることを表す指標は、前記編集によって、前記編集画面における表示位置の間に所定値を越える距離が生じた前記イメージの特徴部位と該特徴部位に対応する操作点とに付与されることを特徴とする、
請求項２に記載の情報処理装置。
【請求項４】
前記制御手段は、前記編集画面における前記操作点の配置状況を表す第１の情報と、前記編集後の前記イメージの前記編集画面における配置状況を表す第２の情報とを、前記編集画面上の各イメージの表示位置を含む属性値に基づいて生成し、生成した前記第１の情報及び前記第２の情報に従い、前記操作点及び編集後の前記イメージの前記編集画面におけるレイアウトを決定することを特徴とする、
請求項２乃至３のいずれか１項に記載の情報処理装置。
【請求項５】
前記制御手段は、前記第１の情報を、前記編集前の前記イメージに基づいて生成することを特徴とする、
請求項４に記載の情報処理装置。
【請求項６】
前記受け付けられた編集が、ｎ（ｎは１以上の自然数）次元で表現された前記イメージをｍ（＞ｎ）次元表現に変更するための表現次元の変更を含むかを判別する判別手段を更に備え、前記付与手段は、前記判別手段による判別の結果に基づいて前記指標を付与することを特徴とする、
請求項４又は５に記載の情報処理装置。
【請求項７】
前記属性値は、ｎ（ｎは１以上の自然数）次元の前記イメージをｍ（＞ｎ）次元表現に変更するための表現次元の変更値を含み、前記判別手段は、編集後の前記イメージの属性値に含まれる前記変更値が変化している場合に、前記受け付けられた編集が、ｎ（ｎは１以上の自然数）次元で表現された前記イメージをｍ（＞ｎ）次元表現に変更するための表現次元の変更を含むと判別することを特徴とする、
請求項６に記載の情報処理装置。
【請求項８】
前記付与手段は、前記編集が加えられたイメージの特徴部位と、該特徴部位に対応する操作点が前記対応関係にあることを表す指標として、両者に共通の図形を付与することを特徴とする、
請求項１乃至７のいずれか１項に記載の情報処理装置。
【請求項９】
前記付与手段は、前記編集が加えられたイメージの特徴部位と、該特徴部位に対応する操作点が前記対応関係にあることを表す指標として、前記特徴部位に対応する操作点に、前記イメージを表現する要素から抽出した色を付与することを特徴とする、
請求項１乃至７のいずれか１項に記載の情報処理装置。
【請求項１０】
情報処理装置の制御方法であって、
編集画面に、イメージと前記イメージの１又は複数の特徴部位に対応する１又は複数の操作点とを表示させる工程と、
前記イメージに編集を加える操作を受け付ける工程と、
前記受け付けられた編集が、編集後の前記イメージの特徴部位と該特徴部位に対応する操作点との、１又は複数の組のうち少なくとも１つに対し、前記編集画面における両者の表示位置の間に所定値を越える距離を生じさせる場合に、前記編集後の前記編集画面において、前記表示位置の間に所定値を越える距離が生じた前記イメージの特徴部位と、該特徴部位に対応する操作点とに、互いに対応関係にあることを表す指標を付与する工程と、を備えることを特徴とする、制御方法。
【請求項１１】
情報処理装置の制御方法であって、
編集画面に、イメージと前記イメージの１又は複数の特徴部位に対応する１又は複数の操作点とを表示させる工程と、
前記イメージに編集を加える操作を受け付ける工程と、
前記受け付けられた編集が、ｎ（ｎは１以上の自然数）次元で表現された前記イメージをｍ（＞ｎ）次元表現に変更するための表現次元の変更を含む場合に、前記編集画面において、前記編集が加えられたイメージの特徴部位と、該特徴部位に対応する操作点との１又は複数の組のうち少なくとも１つに、互いに対応関係にあることを表す指標を付与する工程と、を備えることを特徴とする、制御方法。
【請求項１２】
コンピュータを情報処理装置として動作させるためのコンピュータプログラムであって、
前記コンピュータを、
編集画面に、イメージと前記イメージの１又は複数の特徴部位に対応する１又は複数の操作点とを表示させる制御手段、
前記イメージに編集を加える操作を受け付ける受付手段、
前記受け付けられた編集が、編集後の前記イメージの特徴部位と該特徴部位に対応する操作点との、１又は複数の組のうち少なくとも１つに対し、前記編集画面における両者の表示位置の間に所定値を越える距離を生じさせる場合に、前記編集後の前記編集画面において、前記表示位置の間に所定値を越える距離が生じた前記イメージの特徴部位と、該特徴部位に対応する操作点とに、互いに対応関係にあることを表す指標を付与する付与手段、として機能させることを特徴とする、コンピュータプログラム。
【請求項１３】
コンピュータを情報処理装置として動作させるためのコンピュータプログラムであって、
前記コンピュータを、
編集画面に、イメージと前記イメージの１又は複数の特徴部位に対応する１又は複数の操作点とを表示させる制御手段、
前記イメージに編集を加える操作を受け付ける受付手段、
前記受け付けられた編集が、ｎ（ｎは１以上の自然数）次元で表現された前記イメージをｍ（＞ｎ）次元表現に変更するための表現次元の変更を含む場合に、前記編集画面において、前記編集が加えられたイメージの特徴部位と、該特徴部位に対応する操作点との１又は複数の組のうち少なくとも１つに、互いに対応関係にあることを表す指標を付与する付与手段、として機能させることを特徴とする、コンピュータプログラム。
【請求項１４】
請求項１２に記載のコンピュータプログラムを記録した記録媒体。
【請求項１５】
請求項１３に記載のコンピュータプログラムを記録した記録媒体。
【手続補正２】
【補正対象書類名】明細書
【補正対象項目名】０００８
【補正方法】変更
【補正の内容】
【０００８】
本発明の情報処理装置は、編集画面に、イメージと前記イメージの１又は複数の特徴部位に対応する１又は複数の操作点とを表示させる制御手段と、前記イメージに編集を加える操作を受け付ける受付手段と、前記受け付けられた編集が、編集後の前記イメージの特徴部位と該特徴部位に対応する操作点との、１又は複数の組のうち少なくとも１つに対し、前記編集画面における両者の表示位置の間に所定値を越える距離を生じさせる場合に、前記編集後の前記編集画面において、前記表示位置の間に所定値を越える距離が生じた前記イメージの特徴部位と、該特徴部位に対応する操作点とに、互いに対応関係にあることを表す指標を付与する付与手段と、を備えることを特徴とする。